(57)【特許請求の範囲】
【請求項１】
映像表示装置であって、
左目映像および右目映像を交互に表示するように構成された表示部と、
前記左目映像および前記右目映像を見るための眼鏡の水平方向に対する傾斜角度が、第１の範囲を超えた場合に、前記表示部の表示モードを第１のモードから第２のモードへと切替え、前記傾斜角度が前記第１の範囲よりも狭い第２の範囲内である場合に、前記表示モードを前記第２のモードから前記第１のモードへと切替えるように構成されたモード切替部と、
を備え、
前記第１のモードは、前記左目映像および前記右目映像を交互に表示するモードであり、
前記第２のモードは、前記左目映像および前記右目映像の切替えを発生させないモードであり、
前記眼鏡は、前記左目映像および前記右目映像にそれぞれ対応して設けられた第１および第２の光学シャッターを含み、前記第１および第２の光学シャッターの各々は、対応する映像の表示に同期するように構成され、
前記映像表示装置は、
前記第１のモードでは前記左目映像および前記右目映像の表示に同期した第１の信号を前記眼鏡に送信する送信部をさらに備える、映像表示装置。
【請求項２】
前記第２のモードは、二次元映像を前記映像表示装置に表示させるモードである、請求項１に記載の映像表示装置。
【請求項３】
左目映像および右目映像を含む三次元映像を表示する映像表示装置と、前記三次元映像を見るための複数の眼鏡とを備える映像システムを制御する制御システムであって、
前記映像表示装置は、前記左目映像および前記右目映像を交互に表示し、
前記複数の眼鏡の各々は、前記左目映像および前記右目映像にそれぞれ対応して設けられた第１および第２の光学シャッターを含み、
前記制御システムは、
水平方向に対する前記複数の眼鏡の各々の傾斜角度を検出するように構成されたセンサと、
前記センサの検出結果によって表わされる前記傾斜角度が第１の範囲を超えた場合に、前記映像表示装置の動作モードを第１のモードから第２のモードへと切替えるように構成されたモード切替部とを備え、
前記第１のモードは、前記左目映像および前記右目映像を交互に表示するモードであり、
前記第２のモードは、前記左目映像および前記右目映像の切替えを発生させないモードであり、
前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成された光学シャッター調整部をさらに備え、
前記傾斜角度が前記第１の範囲内にあるという条件を満たす少なくとも１つの第１の眼鏡と前記傾斜角度が前記第１の範囲外にあるという条件を満たす少なくとも１つの第２の眼鏡とが前記複数の眼鏡の眼鏡に含まれる場合には、前記モード切替部は、所定の選択条件に従って、前記第１および第２のモードのいずれか一方を選択する、制御システム。
【請求項４】
前記所定の選択条件は、前記第１のモードを選択するという条件である、請求項３に記載の制御システム。
【請求項５】
前記所定の選択条件は、前記第２のモードを選択するという条件である、請求項３に記載の制御システム。
【請求項６】
前記所定の選択条件は、前記少なくとも１つの第１の眼鏡の個数と前記少なくとも１つの第２の眼鏡の個数とのうちの多いほうの個数の眼鏡に対応するモードを選択するという条件である、請求項３に記載の制御システム。
【請求項７】
前記所定の選択条件は、
前記少なくとも１つの第１の眼鏡の個数と前記少なくとも１つの第２の眼鏡の個数とが同じである場合に、前記第１および第２のモードのいずれか一方を選択するための条件を含む、請求項６に記載の制御システム。
【請求項８】
左目映像および右目映像を含む三次元映像を表示する映像表示装置と、前記三次元映像を見るための少なくとも１つの眼鏡とを備える映像システムを制御する制御システムであって、
前記映像表示装置は、前記左目映像および前記右目映像を交互に表示し、
前記少なくとも１つの眼鏡は、前記左目映像および前記右目映像にそれぞれ対応して設けられた第１および第２の光学シャッターを含み、
前記制御システムは、
水平方向に対する前記少なくとも１つの眼鏡の傾斜角度を検出するように構成されたセンサと、
前記センサの検出結果によって表わされる前記傾斜角度が第１の範囲を超えた場合に、前記映像表示装置の動作モードを第１のモードから第２のモードへと切替えるように構成されたモード切替部とを備え、
前記第１のモードは、前記左目映像および前記右目映像を交互に表示するモードであり、
前記第２のモードは、前記左目映像および前記右目映像の切替えを発生させないモードであり、
前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成された光学シャッター調整部をさらに備え、
前記モード切替部は、
前記傾斜角度が第２の範囲内である場合に、前記動作モードを前記第２のモードから前記第１のモードへと切替え、
前記第２の範囲は、前記第１の範囲よりも狭い、制御システム。
【請求項９】
左目映像および右目映像を含む三次元映像を表示する映像表示装置と、前記三次元映像を見るための少なくとも１つの眼鏡とを備える映像システムを制御する制御システムであって、
前記映像表示装置は、前記左目映像および前記右目映像を交互に表示し、
前記少なくとも１つの眼鏡は、前記左目映像および前記右目映像にそれぞれ対応して設けられた第１および第２の光学シャッターを含み、
前記制御システムは、
水平方向に対する前記少なくとも１つの眼鏡の傾斜角度を検出するように構成されたセンサと、
前記センサの検出結果によって表わされる前記傾斜角度が第１の範囲を超えた場合に、前記映像表示装置の動作モードを第１のモードから第２のモードへと切替えるように構成されたモード切替部とを備え、
前記第１のモードは、前記左目映像および前記右目映像を交互に表示するモードであり、
前記第２のモードは、前記左目映像および前記右目映像の切替えを発生させないモードであり、
前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成された光学シャッター調整部をさらに備え、
前記第２のモードは、前記左目映像と前記右目映像との間の切替えを停止させるモードである、制御システム。
【請求項１０】
左目映像および右目映像を含む三次元映像を表示する映像表示装置と、前記三次元映像を見るための少なくとも１つの眼鏡とを備える映像システムを制御する制御システムであって、
前記映像表示装置は、前記左目映像および前記右目映像を交互に表示し、
前記少なくとも１つの眼鏡は、前記左目映像および前記右目映像にそれぞれ対応して設けられた第１および第２の光学シャッターを含み、
前記制御システムは、
水平方向に対する前記少なくとも１つの眼鏡の傾斜角度を検出するように構成されたセンサと、
前記センサの検出結果によって表わされる前記傾斜角度が第１の範囲を超えた場合に、前記映像表示装置の動作モードを第１のモードから第２のモードへと切替えるように構成されたモード切替部とを備え、
前記第１のモードは、前記左目映像および前記右目映像を交互に表示するモードであり、
前記第２のモードは、前記左目映像および前記右目映像の切替えを発生させないモードであり、
前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成された光学シャッター調整部をさらに備え、
前記第２のモードは、前記映像表示装置に映像の表示を停止させるモードである、制御システム。
【請求項１１】
映像表示装置によって表示された、左目映像および右目映像を含む三次元映像を見るための眼鏡に実装された制御装置であって、
前記映像表示装置は、水平方向に対する前記眼鏡の傾斜角度が所定の範囲を超えた場合に、前記映像表示装置の動作モードを第１のモードから第２のモードへと切替えるように構成され、
前記第１のモードは、前記左目映像および前記右目映像を交互に表示するモードであり、前記第２のモードは、前記左目映像および前記右目映像の切替えを発生させないモードであり、
前記眼鏡は、前記左目映像および前記右目映像にそれぞれ対応して設けられた第１および第２の光学シャッターを含み、
前記制御装置は、
前記眼鏡の前記傾斜角度を検出するように構成されたセンサと、
前記センサによって検出された前記傾斜角度を示す第１の信号を、前記映像表示装置に送信するように構成された送信部と、
前記映像表示装置によって選択された前記動作モードを特定する第２の信号を、前記映像表示装置から受信するように構成された受信部と、
前記受信部によって受信された前記第２の信号に応答して、前記第１および第２の光学シャッターを調整するように構成された光学シャッター調整部とを備え、
前記光学シャッター調整部は、前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成される、制御装置。
【請求項１２】
前記第２のモードは、二次元映像を前記映像表示装置に表示させるモードである、請求項１１に記載の制御装置。
【請求項１３】
前記第２のモードは、前記左目映像と前記右目映像との間の切替えを停止させるモードである、請求項１１に記載の制御装置。
【請求項１４】
前記第２のモードは、前記映像表示装置に映像の表示を停止させるモードである、請求項１１に記載の制御装置。
【請求項１５】
映像表示装置によって表示された、左目映像および右目映像を含む三次元映像を見るための眼鏡に実装された制御装置であって、
前記映像表示装置は、水平方向に対する前記眼鏡の傾斜角度が所定の範囲を超えた場合に、前記映像表示装置の動作モードを第１のモードから第２のモードへと切替えるように構成され、
前記第１のモードは、前記左目映像および前記右目映像を交互に表示するモードであり、前記第２のモードは、前記左目映像および前記右目映像の切替えを発生させないモードであり、
前記眼鏡は、前記左目映像および前記右目映像にそれぞれ対応して設けられた第１および第２の光学シャッターを含み、
前記制御装置は、
前記眼鏡の前記傾斜角度を検出するように構成されたセンサと、
前記センサによって検出された前記傾斜角度が前記所定の範囲内であるか否かを判定するように構成された判定部と、
前記判定部の判定結果を示す第１の信号を、前記映像表示装置に送信するように構成された送信部と、
前記映像表示装置によって選択された前記動作モードを特定する第２の信号を、前記映像表示装置から受信するように構成された受信部と、
前記受信部によって受信された前記第２の信号に応答して、前記第１および第２の光学シャッターを調整するように構成された光学シャッター調整部とを備え、
前記光学シャッター調整部は、前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成される、制御装置。
【請求項１６】
前記第２のモードは、二次元映像を前記映像表示装置に表示させるモードである、請求項１５に記載の制御装置。
【請求項１７】
前記第２のモードは、前記左目映像と前記右目映像との間の切替えを停止させるモードである、請求項１５に記載の制御装置。
【請求項１８】
前記第２のモードは、前記映像表示装置に映像の表示を停止させるモードである、請求項１５に記載の制御装置。
【請求項１９】
左目映像および右目映像を含む三次元映像を表示する映像表示装置に実装された制御装置であって、
前記三次元映像を見るための少なくとも１つの眼鏡から角度信号を受信する受信部を備え、前記角度信号は、水平方向に対する前記少なくとも１つの眼鏡の傾斜角度を表し、前記少なくとも１つの眼鏡は、前記左目映像および前記右目映像にそれぞれ対応して設けられた第１および第２の光学シャッターを含み、前記第１および第２の光学シャッターの各々は、対応する映像の表示に同期するように構成され、
前記制御装置は、
前記傾斜角度が第１の範囲を超えた場合に、前記映像表示装置の動作モードを第１のモードから第２のモードへと切替えるように構成されたモード切替部をさらに備え、
前記第１のモードは、前記左目映像および前記右目映像を交互に表示するモードであり、
前記第２のモードは、前記左目映像および前記右目映像の切替えを発生させないモードであり、
前記制御装置は、
前記第１のモードでは前記左目映像および前記右目映像の表示に同期した第１の信号を前記眼鏡に送信する一方で、前記第２のモードでは、前記第１および第２の光学シャッターをともに開状態に設定するための第２の信号を前記眼鏡に送信するように構成された送信部をさらに備える、制御装置。
【請求項２０】
前記第２のモードは、二次元映像を前記映像表示装置に表示させるモードである、請求項１９に記載の制御装置。
【請求項２１】
前記少なくとも１つの眼鏡は、複数の眼鏡であって、
前記傾斜角度が前記第１の範囲内にあるという条件を満たす少なくとも１つの第１の眼鏡と前記傾斜角度が前記第１の範囲外にあるという条件を満たす少なくとも１つの第２の眼鏡とが前記複数の眼鏡の眼鏡に含まれる場合には、前記モード切替部は、所定の選択条件に従って、前記第１および第２のモードのいずれか一方を選択する、請求項１９に記載の制御装置。
【請求項２２】
前記所定の選択条件は、前記第１のモードを選択するという条件である、請求項２１に記載の制御装置。
【請求項２３】
前記所定の選択条件は、前記第２のモードを選択するという条件である、請求項２１に記載の制御装置。
【請求項２４】
前記所定の選択条件は、前記少なくとも１つの第１の眼鏡の個数と前記少なくとも１つの第２の眼鏡の個数とのうちの多いほうの個数の眼鏡に対応するモードを選択するという条件である、請求項２１に記載の制御装置。
【請求項２５】
前記所定の選択条件は、
前記少なくとも１つの第１の眼鏡の個数と前記少なくとも１つの第２の眼鏡の個数とが同じである場合に、前記第１および第２のモードのいずれか一方を選択するための条件を含む、請求項２４に記載の制御装置。
【請求項２６】
前記傾斜角度が第２の範囲内である場合に、前記モード切替部は、前記動作モードを前記第２のモードから前記第１のモードへと切替え、
前記第２の範囲は、前記第１の範囲よりも狭い、請求項１９に記載の制御装置。
【請求項２７】
前記傾斜角度が第２の範囲内である場合に、前記モード切替部は、前記動作モードを前記第２のモードから前記第１のモードへと切替え、
前記第２の範囲は、前記第１の範囲と同じ範囲である、請求項１９に記載の制御装置。
【請求項２８】
前記モード切替部によって選択された前記動作モードを視聴者に知らせるように構成された通知部をさらに備える、請求項１９に記載の制御装置。
【請求項２９】
前記通知部は、発光素子を含む、請求項２８に記載の制御装置。
【請求項３０】
前記通知部は、音を発するように構成される、請求項２８に記載の制御装置。
【請求項３１】
前記第２のモードは、前記左目映像と前記右目映像との間の切替えを停止させるモードである、請求項１９に記載の制御装置。
【請求項３２】
前記第２のモードは、前記映像表示装置に映像の表示を停止させるモードである、請求項１９に記載の制御装置。
【請求項３３】
映像システムであって、
映像表示装置を備え、前記映像表示装置は、
映像を表示するように構成された表示部と、
前記表示部の表示モードを第１のモードから第２のモードへと切替えるように構成されたモード切替部とを含み、前記第１のモードは、左目映像および右目映像を交互に表示するモードであり、前記第２のモードは、前記左目映像および前記右目映像の切替えを発生させないモードであり、
前記映像表示装置は、
前記第１のモードでは前記左目映像および前記右目映像の表示に同期した第１の信号を出力する一方で、前記第２のモードでは、前記第２のモードを示す第２の信号を出力するように構成された第１の送信部をさらに含み、
前記映像システムは、眼鏡をさらに備え、
前記眼鏡は、
前記左目映像および前記右目映像にそれぞれ対応して設けられた第１および第２の光学シャッターと、
水平方向に対する前記眼鏡の傾斜角度を検出するように構成されたセンサと、
前記センサによって検出された前記傾斜角度が所定の範囲を超えた場合に、前記モード切替部に前記表示モードを前記第１のモードから前記第２のモードへと切替えさせるための信号を、前記映像表示装置に送信する第２の送信部と、
光学シャッター調整部とを含み、
前記光学シャッター調整部は、前記第１の信号に応答して、前記第１および第２の光学シャッターを、前記左目映像および前記右目映像の表示とそれぞれ同期させて開閉させる一方、前記第２の信号に応答して、前記第１および第２の光学シャッターをともに開状態に設定するように構成される、映像システム。
【請求項３４】
映像表示装置によって表示された、左目映像および右目映像を含む三次元映像を見るための眼鏡であって、
前記映像表示装置は、水平方向に対する前記眼鏡の傾斜角度が所定の範囲を超えた場合に、前記映像表示装置の動作モードを第１のモードから第２のモードへと切替えるように構成され、
前記第１のモードは、前記左目映像および前記右目映像を交互に表示するモードであり、前記第２のモードは、前記左目映像および前記右目映像の切替えを発生させないモードであり、
前記眼鏡は、
前記左目映像および前記右目映像にそれぞれ対応して設けられた第１および第２の光学シャッターと、
前記第１および第２の光学シャッターを制御するための制御部とを備え、
前記制御部は、
前記眼鏡の前記傾斜角度を検出するように構成されたセンサと、
前記センサによって検出された前記傾斜角度を示す第１の信号を、前記映像表示装置に送信するように構成された送信部と、
前記映像表示装置によって選択された前記動作モードを特定する第２の信号を、前記映像表示装置から受信するように構成された受信部と、
前記受信部によって受信された前記第２の信号に応答して、前記第１および第２の光学シャッターを調整するように構成された光学シャッター調整部とを含み、
前記光学シャッター調整部は、前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成される、眼鏡。
【請求項３５】
映像表示装置によって表示された、左目映像および右目映像を含む三次元映像を見るための眼鏡であって、
前記映像表示装置は、水平方向に対する前記眼鏡の傾斜角度が第１の範囲を超えた場合に、前記映像表示装置の動作モードを第１のモードから第２のモードへと切替え、前記傾斜角度が前記第１の範囲よりも狭い第２の範囲内である場合に、前記動作モードを前記第２のモードから前記第１のモードへと切替えるように構成され、
前記第１のモードは、前記左目映像および前記右目映像を交互に表示するモードであり、前記第２のモードは、前記左目映像および前記右目映像の切替えを発生させないモードであり、
前記眼鏡は、
前記左目映像および前記右目映像にそれぞれ対応して設けられた第１および第２の光学シャッターと、
前記第１および第２の光学シャッターを制御するための制御部とを備え、
前記制御部は、
前記眼鏡の前記傾斜角度を検出するように構成されたセンサと、
前記センサによって検出された前記傾斜角度が前記第１の範囲内であるか否かを判定するように構成された判定部と、
前記判定部の判定結果を示す第１の信号を、前記映像表示装置に送信するように構成された送信部と、
前記映像表示装置によって選択された前記動作モードを特定する第２の信号を、前記映像表示装置から受信するように構成された受信部と、
前記受信部によって受信された前記第２の信号に応答して、前記第１および第２の光学シャッターを調整するように構成された光学シャッター調整部とを備え、
前記光学シャッター調整部は、前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成される、眼鏡。
【請求項３６】
映像表示装置によって表示された、左目映像および右目映像を含む三次元映像を見るための眼鏡であって、
前記映像表示装置は、水平方向に対する前記眼鏡の傾斜角度が第１の範囲を超えた場合に、前記映像表示装置の動作モードを第１のモードから第２のモードへと切替え、前記傾斜角度が前記第１の範囲内である場合に、前記動作モードを前記第２のモードから前記第１のモードへと切替えるように構成され、
前記第１のモードは、前記左目映像および前記右目映像を交互に表示するモードであり、前記第２のモードは、前記左目映像および前記右目映像の切替えを発生させないモードであり、
前記眼鏡は、前記左目映像および前記右目映像にそれぞれ対応して設けられた第１および第２の光学シャッターと、
前記第１および第２の光学シャッターを制御するための制御部とを備え、前記制御部は、
前記眼鏡の前記傾斜角度を検出するように構成されたセンサと、
前記センサによって検出された前記傾斜角度が前記第１の範囲内であるか否かを判定するように構成された判定部と、
前記判定部の判定結果を示す第１の信号を、前記映像表示装置に送信するように構成された送信部と、
前記映像表示装置によって選択された前記動作モードを特定する第２の信号を、前記映像表示装置から受信するように構成された受信部と、
前記受信部によって受信された前記第２の信号に応答して、前記第１および第２の光学シャッターを調整するように構成された光学シャッター調整部とを備え、
前記光学シャッター調整部は、前記第１のモードでは前記第１および第２の光学シャッターを、前記左目映像および前記右目映像の表示とそれぞれ同期させて開閉させる一方、前記第２のモードでは、前記第１および第２の光学シャッターをともに開状態に設定するように構成される、眼鏡。
【請求項３７】
映像表示装置であって、
左目映像および右目映像を交互に表示するように構成された表示部と、
前記左目映像および前記右目映像を見るための眼鏡の水平方向に対する傾斜角度が、第１の範囲を超えた場合に、前記表示部の表示モードを第１のモードから第２のモードへと切替え、前記傾斜角度が前記第１の範囲よりも狭い第２の範囲内である場合に、前記表示モードを前記第２のモードから前記第１のモードへと切替えるように構成されたモード切替部とを備え、
前記第１のモードは、前記左目映像および前記右目映像を交互に表示するモードであり、前記第２のモードは、前記左目映像および前記右目映像の切替えを発生させないモードであり、
前記眼鏡は、前記左目映像および前記右目映像にそれぞれ対応して設けられた第１および第２の光学シャッターを含み、前記第１および第２の光学シャッターの各々は、対応する映像の表示に同期するように構成され、
前記映像表示装置は、
前記第１のモードでは前記左目映像および前記右目映像の表示に同期した第１の信号を前記眼鏡に送信する一方で、前記第２のモードでは、前記第２のモードを示す第２の信号を前記眼鏡に送信するように構成された送信部をさらに備える、映像表示装置。
【請求項３８】
前記送信部は、前記センサによって検出された前記傾斜角度を示す前記第１の信号を、前記傾斜角度の大きさに関わらず前記映像表示装置に送信する、請求項１１〜１４のいずれか１項に記載の制御装置。
【請求項３９】
前記送信部は、前記センサによって検出された前記傾斜角度を示す前記第１の信号を、前記傾斜角度の大きさに関わらず前記映像表示装置に送信する、請求項３４に記載の眼鏡。
【請求項４０】
左目映像および右目映像を含む三次元映像を表示する映像表示装置と、前記三次元映像を見るための少なくとも１つの眼鏡と、を備えた映像システムであって、
前記眼鏡は、
前記左目映像に対応して設けられた第１の光学シャッターと、
前記右目映像に対応して設けられた第２の光学シャッターと、
前記眼鏡の水平方向に対する傾斜角度の大きさを検出するセンサと、
前記センサによって検出された傾斜角度の大きさを示す傾斜情報信号を、前記傾斜角度の大きさに関わらず送信する送信部と、
を備え、
前記映像表示装置は、
前記傾斜情報信号を受信する受信部と、
前記受信部にて受信した前記傾斜情報信号が示す前記傾斜角度の大きさを認識して、前記傾斜角度が第１の範囲を超えたか否かを判定する判定部と、
前記判定部の前記判定に基づいて、動作モードを第１のモードと第２のモードとの間で切り替えるモード切替部と、
を備える映像システム。
【請求項４１】
前記傾斜角度が第２の範囲内である場合に、前記モード切替部は、前記動作モードを前記第２のモードから前記第１のモードへと切替え、
前記第２の範囲は、前記第１の範囲よりも狭い、請求項４０に記載の映像システム。
【請求項４２】
前記傾斜角度が第２の範囲内である場合に、前記モード切替部は、前記動作モードを前記第２のモードから前記第１のモードへと切替え、
前記第２の範囲は、前記第１の範囲と同じ範囲である、請求項４０に記載の映像システム。
【請求項４３】
前記眼鏡は、前記傾斜角度の大きさに基づいて、前記第１の光学シャッターと前記第２の光学シャッターとのそれぞれの開閉を調整する光学シャッター調整部を備え、
前記光学シャッター調整部は、
前記判定部にて前記第１のモードが選択される場合には、前記第１の光学シャッターおよび前記第２の光学シャッターを前記左目映像および前記右目映像の表示とそれぞれ同期させて開閉させ、
前記判定部にて前記第２のモードが選択される場合には、前記第１の光学シャッターおよび前記第２の光学シャッターをいずれも開状態とする、請求項４０〜４２のいずれか１項に記載の映像システム。
【請求項４４】
前記第１のモードは、前記左目映像および前記右目映像を交互に表示することで前記三次元映像を表示するものであり、
前記第２のモードは、前記左目映像および前記右目映像を交互に表示させないことで二次元映像を表示させるものである請求項４０〜４３のいずれか１項に記載の映像システム。
【発明の詳細な説明】
【技術分野】
【０００１】
本発明は、映像表示装置に表示された三次元映像を、眼鏡を通じて視聴するための技術に関する。特に、視聴者の状況に応じて映像の表示を制御する技術に関する。
【背景技術】
【０００２】
視聴者が三次元映像を見ることを可能にするための映像システムが、これまでに提案されている。このような映像システムでは、左目映像と右目映像とが映像表示装置に交互にあるいは同時に表示される。たとえば特開平７−２５５０６８号公報（特許文献１）に開示されるように、視聴者は立体視用眼鏡を装着することによって、映像表示装置に表示された映像を立体的に見ることができる。この眼鏡は、その左目映像および右目映像を視聴者の左目および右目にそれぞれ導く機能を担う。
【先行技術文献】
【特許文献】
【０００３】
【特許文献１】特開平７−２５５０６８号公報
【発明の概要】
【発明が解決しようとする課題】
【０００４】
上記の映像システムは、一般に、眼鏡が略水平に保持された状態で視聴者が映像を見ることを前提として設計されている。しかしながら視聴者が映像を見るときの視聴者の姿勢は変化しうる。
【０００５】
たとえば視聴者が横になった状態で視聴者が映像を見る状況を考える。この場合、眼鏡が水平方向から傾いている可能性が高い。しかしながら従来の映像システムは、眼鏡の傾きには関係なく左目映像と右目映像とを交互に表示する。すなわち、従来の映像システムでは、視聴者が三次元映像を見ているときの視聴者の状態、特に眼鏡が傾いたときの状態については特に考慮されていない。
【０００６】
本発明の目的は、眼鏡を用いて三次元映像を見る視聴者の状態に応じて映像の表示を制御するための技術を提供することである。
【課題を解決するための手段】
【０００７】
ある局面では、本発明は、左目映像および右目映像を含む三次元映像を表示する映像表示装置と、三次元映像を見るための少なくとも１つの眼鏡とを備える映像システムを制御する制御システムである。映像表示装置は、左目映像および右目映像を交互に表示する。少なくとも１つの眼鏡は、左目映像および右目映像にそれぞれ対応して設けられた第１および第２の光学シャッターを含む。制御システムは、水平方向に対する少なくとも１つの眼鏡の傾斜角度を検出するように構成されたセンサと、センサの検出結果によって表わされる傾斜角度が第１の範囲を超えた場合に、映像表示装置の動作モードを第１のモードから第２のモードへと切替えるように構成されたモード切替部とを備える。第１のモードは、左目映像および右目映像を交互に表示するモードである。第２のモードは、左目映像および右目映像の切替えを発生させないモードである。制御システムは、光学シャッター調整部をさらに備える。光学シャッター調整部は、第１のモードでは第１および第２の光学シャッターを、左目映像および右目映像の表示とそれぞれ同期させて開閉させる一方、第２のモードでは、第１および第２の光学シャッターをともに開状態に設定するように構成される。
【０００８】
他の局面では、本発明は、映像表示装置によって表示された、左目映像および右目映像を含む三次元映像を見るための眼鏡に実装された制御装置である。映像表示装置は、水平方向に対する眼鏡の傾斜角度が所定の範囲を超えた場合に、映像表示装置の動作モードを第１のモードから第２のモードへと切替えるように構成される。第１のモードは、左目映像および右目映像を交互に表示するモードである。第２のモードは、左目映像および右目映像の切替えを発生させないモードである。眼鏡は、左目映像および右目映像にそれぞれ対応して設けられた第１および第２の光学シャッターを含む。制御装置は、眼鏡の傾斜角度を検出するように構成されたセンサと、センサによって検出された傾斜角度を示す第１の信号を、映像表示装置に送信するように構成された送信部と、映像表示装置によって選択された動作モードを特定する第２の信号を、映像表示装置から受信するように構成された受信部と、受信部によって受信された第２の信号に応答して、第１および第２の光学シャッターを調整するように構成された光学シャッター調整部とを備える。光学シャッター調整部は、第１のモードでは第１および第２の光学シャッターを、左目映像および右目映像の表示とそれぞれ同期させて開閉させる一方、第２のモードでは、第１および第２の光学シャッターをともに開状態に設定するように構成される。
【０００９】
他の局面では、本発明は、映像表示装置によって表示された、左目映像および右目映像を含む三次元映像を見るための眼鏡に実装された制御装置である。映像表示装置は、水平方向に対する眼鏡の傾斜角度が所定の範囲を超えた場合に、映像表示装置の動作モードを第１のモードから第２のモードへと切替えるように構成される。第１のモードは、左目映像および右目映像を交互に表示するモードである。第２のモードは、左目映像および右目映像の切替えを発生させないモードである。眼鏡は、左目映像および右目映像にそれぞれ対応して設けられた第１および第２の光学シャッターを含む。制御装置は、眼鏡の傾斜角度を検出するように構成されたセンサと、センサによって検出された傾斜角度が所定の範囲内であるか否かを判定するように構成された判定部と、判定部の判定結果を示す第１の信号を、映像表示装置に送信するように構成された送信部と、映像表示装置によって選択された動作モードを特定する第２の信号を、映像表示装置から受信するように構成された受信部と、受信部によって受信された第２の信号に応答して、第１および第２の光学シャッターを調整するように構成された光学シャッター調整部とを備える。光学シャッター調整部は、第１のモードでは第１および第２の光学シャッターを、左目映像および右目映像の表示とそれぞれ同期させて開閉させる一方、第２のモードでは、第１および第２の光学シャッターをともに開状態に設定するように構成される。
【００１０】
他の局面では、本発明は、左目映像および右目映像を含む三次元映像を表示する映像表示装置に実装された制御装置である。制御装置は、三次元映像を見るための少なくとも１つの眼鏡から角度信号を受信する受信部を備える。角度信号は、水平方向に対する少なくとも１つの眼鏡の傾斜角度を表す。少なくとも１つの眼鏡は、左目映像および右目映像にそれぞれ対応して設けられた第１および第２の光学シャッターを含む。第１および第２の光学シャッターの各々は、対応する映像の表示に同期するように構成される。制御装置は、傾斜角度が第１の範囲を超えた場合に、映像表示装置の動作モードを第１のモードから第２のモードへと切替えるように構成されたモード切替部をさらに備える。第１のモードは、左目映像および右目映像を交互に表示するモードである。第２のモードは、左目映像および右目映像の切替えを発生させないモードである。制御装置は、送信部をさらに備える。送信部は、第１のモードでは左目映像および右目映像の表示に同期した第１の信号を眼鏡に送信する一方で、第２のモードでは、第１および第２の光学シャッターをともに開状態に設定するための第２の信号を眼鏡に送信するように構成される。
【００１１】
他の局面では、本発明は、映像システムであって、映像表示装置を備える。映像表示装置は、映像を表示するように構成された表示部と、表示部の表示モードを第１のモードから第２のモードへと切替えるように構成されたモード切替部とを含む。第１のモードは、
左目映像および右目映像を交互に表示するモードである。第２のモードは、左目映像および右目映像の切替えを発生させないモードである。映像表示装置は、第１のモードでは左目映像および右目映像の表示に同期した第１の信号を出力する一方で、第２のモードでは、第２のモードを示す第２の信号を出力するように構成された第１の送信部をさらに含む。映像システムは、眼鏡をさらに備える。眼鏡は、左目映像および右目映像にそれぞれ対応して設けられた第１および第２の光学シャッターと、水平方向に対する眼鏡の傾斜角度を検出するように構成されたセンサと、センサによって検出された傾斜角度が所定の範囲を超えた場合に、モード切替部に表示モードを第１のモードから第２のモードへと切替えさせるための信号を、映像表示装置に送信する第２の送信部と、光学シャッター調整部とを含む。光学シャッター調整部は、第１の信号に応答して、第１および第２の光学シャッターを、左目映像および右目映像の表示とそれぞれ同期させて開閉させる一方、第２の信号に応答して、第１および第２の光学シャッターをともに開状態に設定するように構成される。
【００１２】
他の局面では、本発明は、映像表示装置によって表示された、左目映像および右目映像を含む三次元映像を見るための眼鏡である。映像表示装置は、水平方向に対する眼鏡の傾斜角度が所定の範囲を超えた場合に、映像表示装置の動作モードを第１のモードから第２のモードへと切替えるように構成される。第１のモードは、左目映像および右目映像を交互に表示するモードである。第２のモードは、左目映像および右目映像の切替えを発生させないモードである。眼鏡は、左目映像および右目映像にそれぞれ対応して設けられた第１および第２の光学シャッターと、第１および第２の光学シャッターを制御するための制御部とを備える。制御部は、眼鏡の傾斜角度を検出するように構成されたセンサと、センサによって検出された傾斜角度を示す第１の信号を、映像表示装置に送信するように構成された送信部と、映像表示装置によって選択された動作モードを特定する第２の信号を、映像表示装置から受信するように構成された受信部と、受信部によって受信された第２の信号に応答して、第１および第２の光学シャッターを調整するように構成された光学シャッター調整部とを含む。光学シャッター調整部は、第１のモードでは第１および第２の光学シャッターを、左目映像および右目映像の表示とそれぞれ同期させて開閉させる一方、第２のモードでは、第１および第２の光学シャッターをともに開状態に設定するように構成される。
【００１３】
他の局面では、本発明は、映像表示装置によって表示された、左目映像および右目映像を含む三次元映像を見るための眼鏡である。映像表示装置は、水平方向に対する眼鏡の傾斜角度が所定の範囲を超えた場合に、映像表示装置の動作モードを第１のモードから第２のモードへと切替えるように構成される。第１のモードは、左目映像および右目映像を交互に表示するモードである。第２のモードは、左目映像および右目映像の切替えを発生させないモードである。眼鏡は、左目映像および右目映像にそれぞれ対応して設けられた第１および第２の光学シャッターと、第１および第２の光学シャッターを制御するための制御部とを備える。制御部は、眼鏡の傾斜角度を検出するように構成されたセンサと、センサによって検出された傾斜角度が所定の範囲内であるか否かを判定するように構成された判定部と、判定部の判定結果を示す第１の信号を、映像表示装置に送信するように構成された送信部と、映像表示装置によって選択された動作モードを特定する第２の信号を、映像表示装置から受信するように構成された受信部と、受信部によって受信された第２の信号に応答して、第１および第２の光学シャッターを調整するように構成された光学シャッター調整部とを備える。光学シャッター調整部は、第１のモードでは第１および第２の光学シャッターを、左目映像および右目映像の表示とそれぞれ同期させて開閉させる一方、第２のモードでは、第１および第２の光学シャッターをともに開状態に設定するように構成される。
【００１４】
他の局面では、本発明は、映像表示装置であって、左目映像および右目映像を交互に表
示するように構成された表示部と、左目映像および右目映像を見るための眼鏡の水平方向に対する傾斜角度が、所定の範囲を超えた場合に、表示部の表示モードを第１のモードから第２のモードへと切替えるように構成されたモード切替部とを備える。第１のモードは、左目映像および右目映像を交互に表示するモードである。第２のモードは、左目映像および右目映像の切替えを発生させないモードである。眼鏡は、左目映像および右目映像にそれぞれ対応して設けられた第１および第２の光学シャッターを含み、第１および第２の光学シャッターの各々は、対応する映像の表示に同期するように構成される。映像表示装置は、第１のモードでは左目映像および右目映像の表示に同期した第１の信号を眼鏡に送信する一方で、第２のモードでは、第２のモードを示す第２の信号を眼鏡に送信するように構成された送信部をさらに備える。
【００１５】
他の局面では、本発明は、左目映像および右目映像を含む三次元映像を表示する映像表示装置と、三次元映像を見るための少なくとも１つの眼鏡とを備えた映像システムである。眼鏡は、左目映像に対応して設けられた第１の光学シャッターと、右目映像に対応して設けられた第２の光学シャッターと、眼鏡の水平方向に対する傾斜角度の大きさを検出するセンサと、センサによって検出された傾斜角度の大きさを示す傾斜情報信号を、傾斜角度の大きさに関わらず送信する送信部とを備える。映像表示装置は、傾斜情報信号を受信する受信部と、受信部にて受信した傾斜情報信号が示す傾斜角度の大きさを認識して、傾斜角度が第１の範囲を超えたか否かを判定する判定部と、判定部の判定に基づいて、動作モードを第１のモードと第２のモードとの間で切り替えるモード切替部とを備える。
【発明の効果】
【００１６】
本発明によれば、視聴者が三次元映像を見るときに視聴者の不快感を生じにくくすることが可能になる。
【図面の簡単な説明】
【００１７】
【図１】本発明の実施の形態１に係る映像システムの一つの構成例を概略的に示した図である。
【図２】図１に示した映像表示装置１００と眼鏡２００との各々の構成の一例を示したブロック図である。
【図３】図２に示した傾斜センサの１つの実現例を示した図である。
【図４】図３に示した傾斜センサが正転方向に傾斜した状態を示した図である。
【図５】図４のＶ−Ｖ断面を模式的に示した図である。
【図６】図３に示した傾斜センサが倒立した状態を示す正面図である。
【図７】実施の形態１に係る映像システムによる第１のモードでの映像の表示を説明するための図である。
【図８】実施の形態１に係る映像システムによる第２のモードでの映像の表示を説明するための図である。
【図９】傾斜角度の範囲を説明するための図である。
【図１０】実施の形態２に係る映像システムの主要部の構成を説明するためのブロック図である。
【図１１】図１０に示した映像表示装置が表示モードを選択するための１つのパターンを説明した図である。
【図１２】図１０に示した映像表示装置が表示モードを選択するための別のパターンを説明した図である。
【図１３】実施の形態３に係る映像システムの主要部の構成を説明するためのブロック図である。
【図１４】第２のモードの通知の一例を示した図である。
【図１５】第２のモードの通知の他の例を示した図である。
【図１６】第２のモードの通知のさらに他の例を示した図である。
【図１７】実施の形態３に係る映像システムの変形例を示した図である。
【図１８】実施の形態４に係る映像の表示の処理の一例を示した図である。
【図１９】本発明の実施の形態の変形例を示した図である。
【発明を実施するための形態】
【００１８】
以下、本発明の実施の形態について図面を参照して詳しく説明する。なお、同一または相当する部分には同一の参照符号を付して、その説明を繰り返さない。
【００１９】
［実施の形態１］
図１は、本発明の実施の形態１に係る映像システムの一つの構成例を概略的に示した図である。図１を参照して、実施の形態１に係る映像システムは、映像表示装置１００と、眼鏡２００と、ディスク再生装置３００とを備える。
【００２０】
映像表示装置１００は、映像を表示するための表示パネル１０１を有する。表示パネル１０１は、左目映像１０１Ｌと右目映像１０１Ｒとを所定の周期（たとえば１２０Ｈｚ）で交互に表示する。なお、この周期は、たとえば１２０Ｈｚであるが、この値に限定されるものではない。
【００２１】
眼鏡２００は、視聴者（図示せず）が左目映像１０１Ｌおよび右目映像１０１Ｒを三次元画像として見るために用いられる。眼鏡２００は、左目映像１０１Ｌおよび右目映像１０１Ｒにそれぞれ対応する光学シャッター２０１，２０２を有する。光学シャッター２０１，２０２の各々は、開状態と閉状態とを有する。「閉状態」とは「開状態」に比較して光学シャッターを通過する光量が少ない状態を意味する。したがって、この発明では、「閉状態」は、光学シャッターが光を遮断する（遮光）状態、および、光学シャッターが光を弱める（減光）状態を含みうる。光学シャッター２０１，２０２により、視聴者は、左目映像１０１Ｌと右目映像１０１Ｒとを時間的に交互に見る。これにより、視聴者は、映像表示装置１００が表示する映像を三次元映像として見ることができる。
【００２２】
なお、光学シャッター２０１，２０２は、偏光方向を変化させることが可能な光学フィルタでもよい。すなわち、左目映像および右眼映像と同期して、透過する光の光量を調整可能な光学素子であれば当該光学素子を光学シャッター２０１，２０２に適用できる。
【００２３】
ディスク３０１は、左目映像および右目映像の情報が記録された記録媒体である。ディスク再生装置３００は、ディスク３０１に記録された左目映像および右目映像の情報を読出して、ケーブル３０２を介して映像信号を映像表示装置１００に出力する。映像表示装置１００は、ディスク再生装置３００から送られた映像信号により、左目映像１０１Ｌおよび右目映像１０１Ｒを表示する。図１に示されたシステムの構成によれば、ディスク再生装置３００は、映像表示装置１００と分離されている。しかしながら、ディスク再生装置３００は、映像表示装置１００と一体化されていてもよい。
【００２４】
なお、図１では、ディスクに記録された映像を再生するための構成が示されている。ただし、映像表示装置１００は、左目映像および右目映像のデータを含む放送信号を受信して、その放送信号を処理することにより左目映像および右目映像を表示してもよい。
【００２５】
図２は、図１に示した映像表示装置１００と眼鏡２００との各々の構成の一例を示したブロック図である。図２を参照して、映像表示装置１００は、表示パネル１０１と、映像信号処理回路１０２と、制御回路１１０とを備える。制御回路１１０は、表示モード切替処理部１１１と、送信部１１２と、受信部１１３と、判定部１１４とを備える。
【００２６】
映像信号処理回路１０２は、たとえば図１に示したディスク再生装置３００から映像信号を受けて、その映像信号を処理する。表示パネル１０１は、映像信号処理回路１０２から出力された信号を受けて、映像信号処理回路１０２によって生成された映像を表示する。
【００２７】
映像表示装置１００は、第１のモードおよび第２のモードを有する。第１のモードにおいて、映像表示装置１００は、左目映像および右目映像を表示する。この場合には、映像信号処理回路１０２は、映像信号から左目映像と右目映像とを検出して、それらを時間的に交互に並べる。あるいは映像信号処理回路１０２は、二次元の映像を表示するための映像信号から左目映像と右目映像とを生成する。表示パネル１０１は、左目映像と右眼映像とを時間的に交互に表示する。
【００２８】
映像信号処理回路１０２は、左目映像および右目映像を生成するとともに、左目映像および右目映像に同期する同期信号Ｓ１を生成する。映像信号処理回路１０２は、その同期信号Ｓ１を送信部１１２へと出力する。
【００２９】
一方、第２のモードにおいて、映像表示装置１００は、二次元の映像を表示する。映像信号が左目映像および右目映像の各々の信号を含む場合に、映像信号処理回路１０２は、たとえば左目映像と右目映像とに基づいて二次元の映像を生成する。映像信号処理回路１０２は、左目映像および右目映像のいずれか一方を二次元の映像として選択してもよい。映像信号処理回路１０２は、二次元の映像を生成するとともに第２のモードを示すモード信号Ｓ２を生成する。映像信号処理回路１０２は、モード信号Ｓ２を送信部１１２へと出力する。
【００３０】
送信部１１２は、映像信号処理回路１０２から送られた信号、すなわち同期信号Ｓ１あるいはモード信号Ｓ２を出力する。たとえば送信部１１２は、赤外線を用いて信号を出力する。送信部１１２から送られた信号は、眼鏡２００によって受信される。
【００３１】
受信部１１３は、眼鏡２００からの角度信号ＳＡを受ける。角度信号ＳＡは、たとえば、赤外線を用いることによって眼鏡２００から送られる。眼鏡２００から送られた角度信号ＳＡは、眼鏡２００の水平方向に対する傾斜角度を表わす。以後、水平方向に対する眼鏡２００の傾斜角度を単に「傾斜角度」と呼ぶ。
【００３２】
判定部１１４は、受信部１１３によって受信された角度信号ＳＡに基づいて、眼鏡２００の傾斜角度が予め定められた範囲内であるかどうかを判定する。判定部１１４は、判定結果を表示モード切替処理部１１１に出力する。
【００３３】
表示モード切替処理部１１１は、映像表示装置１００の表示モードを第１のモードと第２のモードとの間で切換える。具体的には、眼鏡２００の傾斜角度が予め定められた範囲内である場合には、表示モード切替処理部１１１は、第１のモードを選択するとともに、第１のモードを指示するための信号を映像信号処理回路１０２に送信する。一方、眼鏡２００の傾斜角度が予め定められた範囲外である場合には、表示モード切替処理部１１１は、第２のモードを選択するとともに、第２のモードを指示するための信号を映像信号処理回路１０２に送信する。第１のモードおよび第２のモードの各々における映像信号処理回路１０２の処理については以後の説明を繰り返さない。
【００３４】
眼鏡２００は、光学シャッター２０１，２０２と、制御回路２１０とを備える。制御回路２１０は、傾斜センサ２１１と、送信部２１２と、受信部２１３と、光学シャッター調整部２１４とを備える。制御回路２１０は、たとえば眼鏡２００のフレームの内部に収容される。
【００３５】
光学シャッター２０１，２０２は、眼鏡２００の左目の位置および右目の位置に対応してそれぞれ設けられる。光学シャッター２０１，２０２は、光学シャッター調整部２１４からの信号に応答して、各々を透過する光の量を調整する。たとえば光学シャッター２０１，２０２は、液晶シャッターによって実現可能である。しかしながら光学シャッター２０１，２０２は液晶シャッターに限定されるものではない。
【００３６】
傾斜センサ２１１は、眼鏡２００の傾斜角度を検出する。傾斜センサ２１１は、傾斜角度を示す角度信号ＳＡを送信部２１２に出力する。送信部２１２は、角度信号ＳＡを出力する。たとえば送信部１１２は、赤外線を用いて信号を出力する。送信部２１２から送られた信号は、映像表示装置１００の受信部１１３によって受信される。
【００３７】
受信部２１３は、映像表示装置１００の送信部１１２から送られた同期信号Ｓ１およびモード信号Ｓ２を受信する。光学シャッター調整部２１４は、受信部２１３によって受信された信号に基づいて、光学シャッター２０１，２０２の各々の状態を開状態と閉状態との間で切替える。具体的には、受信部２１３が同期信号Ｓ１を受信した場合には、光学シャッター調整部２１４は、左目映像と右目映像と同期させて光学シャッター２０１，２０２を開閉する。一方、受信部２１３がモード信号Ｓ２を受信した場合には、光学シャッター調整部２１４は、光学シャッター２０１，２０２の状態を開状態および閉状態のいずれか一方に保持する。具体的には光学シャッター調整部２１４は、光学シャッター２０１，２０２の状態を開状態に保持する。すなわちモード信号Ｓ２は、光学シャッター２０１，２０２を開状態にするように光学シャッター調整部２１４に指示するための信号である。
【００３８】
制御回路１１０、２１０の各々は、単一または複数の半導体集積回路によって実現可能である。
【００３９】
物体の水平方向からの傾斜角度を検出して、その傾斜角度を示す信号を出力するセンサであれば、種々のセンサを傾斜センサ２１１に適用できる。
【００４０】
図３は、図２に示した傾斜センサの１つの実現例を示した図である。図４は、図３に示した傾斜センサが正転方向に傾斜した状態を示した図である。図５は、図４のＶ−Ｖ断面を模式的に示した図である。図６は、図３に示した傾斜センサが倒立した状態を示す正面図である。
【００４１】
図３〜図６を参照して、傾斜センサ２１１は、基板１と、ケース２と、カバー３と、受光素子４Ａ，４Ｂと、発光素子５と、転動体６と、配線パターン７と、端子７ａ，７ｂ，７ｃとを備える。受光素子４Ａ，４Ｂと、発光素子５とは基板１に実装される。図５に示すように、配線パターン７は基板１の表面に形成される。配線パターン７は、たとえば銅からなる。なお、図３、図４、図６では、カバー３は示されていない。
【００４２】
受光素子４Ａ，４Ｂは、たとえばＰＩＮフォトダイオードである。受光素子４Ａ，４Ｂの各々は赤外線を受光すると電流を流す。発光素子５は、たとえば赤外線発光ダイオードであり、赤外線を発する。
【００４３】
ケース２には、空隙部２０が形成される。転動体６は空隙部２０に収容される。図３および図５に示されるように、空隙部２０は、転動体収容部２０ａと、３つの窓２０ｂと、素子収容部２０ｃとを有する。３つの窓２０ｂは、受光素子４Ａ，４Ｂおよび発光素子５にそれぞれ対応して形成される。転動体収容部２０ａは、転動体６を収容する部分であり、傾斜センサ２１１の姿勢に応じた所定の位置に転動体６を転動させるための部分である。図５に示されるように、素子収容部２０ｃは、受光素子４Ａ，４Ｂおよび発光素子５を収容するための部分である。
【００４４】
カバー３は、ケース２を塞ぐことにより空隙部２０を形成する。図５に示されるように、カバー３の下面には、反射膜３０が形成される。発光素子５によって発せられた光は反射膜３０により反射して受光素子４Ａ，４Ｂへと向かう。
【００４５】
転動体６は、傾斜センサ２１１の姿勢に応じて転動体収容部２０ａ内を転がる。これにより、発光素子５から発せられた光が受光素子４Ａあるいは受光素子４Ｂへと到達することが阻止される。
【００４６】
図３は、傾斜センサ２１１が中立姿勢とされた状態を示している。中立姿勢は、眼鏡２００が水平である状態に対応する。この場合には、転動体６は、発光素子５の正面に位置する。発光素子５から発せられた赤外線が転動体６によって遮られるので、受光素子４Ａ，受光素子４Ｂは、発光素子５から発せられた赤外線を受けることができない。
【００４７】
図４に示されるように、傾斜センサ２１１が時計回りに回転されて傾斜センサ２１１が傾いたとする。この場合には、転動体６は、受光素子４Ｂの正面の位置へと転動する。図５に示されるように、発光素子５から発せられた赤外線は反射膜３０によって反射して受光素子４Ａに到達する。しかしながら受光素子４Ｂは発光素子５から発せられた赤外線を受光することができない。
【００４８】
図６に示されるように、傾斜センサ２１１が中立姿勢から半回転した場合には、傾斜センサ２１１は倒立する。この場合における転動体６の位置は、傾斜センサ２１１が中立姿勢であるときの位置と反対の位置である。発光素子５から発せられた赤外線は反射膜３０によって反射して受光素子４Ａ，４Ｂに到達する。
【００４９】
受光素子４Ａ，４Ｂから出力される信号の強度は、傾斜センサ２１１の回転方向および傾斜センサ２１１の回転角度に応じて変化する。したがって受光素子４Ａ，４Ｂから出力される信号の強度に基づいて、眼鏡２００の傾斜角度を検出することができる。
【００５０】
なお、傾斜センサ２１１は、図３〜図６に示されたセンサに限定されるものではない。１つの実施形態では、加速度センサが傾斜センサ２１１に適用できる。
【００５１】
図７は、実施の形態１に係る映像システムによる第１のモードでの映像の表示を説明するための図である。図２および７を参照して、眼鏡２００は、眼鏡２００の傾斜角度を示す角度信号ＳＡを映像表示装置１００に送信する。眼鏡２００は、ほぼ水平に保持されている。映像表示装置１００は眼鏡２００から角度信号ＳＡを受信する。傾斜角度が予め定められた範囲内にあると映像表示装置１００（図２に示した判定部１１４）が判定する。
【００５２】
この場合、表示モード切替処理部１１１が、映像表示装置１００の表示モードを第１のモードに設定する。したがって、表示パネル１０１は、左目映像１０１Ｌおよび右目映像１０１Ｒを交互に表示する。さらに、映像表示装置１００（送信部１１２）は、左目映像１０１Ｌおよび右目映像１０１Ｒに同期した同期信号Ｓ１を眼鏡２００に送信する。
【００５３】
眼鏡２００は、同期信号Ｓ１に応じて光学シャッター２０１，２０２の状態を変化させる。具体的には、表示パネル１０１が左目映像１０１Ｌを表示するときに、光学シャッター調整部２１４は、光学シャッター２０１，２０２をそれぞれ開状態および閉状態に設定する。一方、映像表示装置１００が右目映像１０１Ｒを表示するときには、光学シャッター調整部２１４は、光学シャッター２０１，２０２を上記の状態とは逆の状態に設定する。したがって左目映像１０１Ｌおよび右目映像１０１Ｒが視聴者の左目および右目にそれぞれ導かれる。視聴者は、左目映像１０１Ｌと右目映像１０１Ｒとによって視差を擬似的に知覚する。これにより、視聴者は、映像表示装置１００が表示する映像を三次元映像として見ることができる。
【００５４】
しかしながら、視聴者が姿勢を変化させたときには眼鏡２００が水平方向から大きく傾く可能性、あるいは、眼鏡２００が水平方向からほぼ９０°回転する可能性がある。さらに視聴者が眼鏡２００を外した場合、視聴者が眼鏡２００を下向きあるいは逆向きに置く可能性も考えられる。
【００５５】
このような場合にも映像表示装置１００が三次元の映像すなわち左目映像１０１Ｌおよび右目映像１０１Ｒの表示を継続した場合には、視聴者が映像を適切に見ることが難しく
なる。したがって実施の形態１では、傾斜角度が予め定められた範囲を超えた場合には、映像表示装置１００（表示モード切替処理部１１１）は、表示モードを上記の第１のモードとは異なる第２のモードへと切替える。
【００５６】
図８は、実施の形態１に係る映像システムによる第２のモードでの映像の表示を説明するための図である。図８を参照して、第２のモードでは、映像表示装置１００は、左目映像１０１Ｌおよび右目映像１０１Ｒとの間の切替えを行なわない。具体的には、映像表示装置１００は、二次元映像を表示する。
【００５７】
この場合、眼鏡２００から送られた角度信号ＳＡにより、映像表示装置１００（判定部１１４）は、傾斜角度が予め定められた範囲外にあると判定する。表示モード切替処理部１１１は、判定部１１４の判定結果に基づいて、映像表示装置１００の表示モードを第２のモードに設定する。表示パネル１０１は、二次元の映像を表示する。
【００５８】
さらに、映像表示装置１００（送信部１１２）は、モード信号Ｓ２を眼鏡２００に送信する。モード信号Ｓ２により、光学シャッター調整部２１４は光学シャッター２０１，２０２をともに開状態に設定する。したがって、二次元映像が視聴者の左目および右目の両方に導かれる。表示パネル１０１に表示された映像が三次元映像から二次元映像へと変化するものの、視聴者は、眼鏡２００を装着したまま映像を見続けることができる。
【００５９】
図９は、傾斜角度の範囲を説明するための図である。図９を参照して、眼鏡２００が水平であるときの角度が０°である。第１の範囲は、表示モードを第１のモードから第２のモードへ切替えるための傾斜角度の範囲と定義される。第１の範囲は、−θ１から＋θ１までの範囲である。すなわち傾斜角度が−θ１から＋θ１までの範囲を外れた場合に映像表示装置１００は表示モードを第１のモードから第２のモードに切替える。
【００６０】
第２の範囲は、表示モードを第２のモードから第１のモードへ切替えるための傾斜角度の範囲と定義される。１つの実施の形態において、第２の範囲は、第１の範囲と一致する。すなわち、傾斜角度が−θ１から＋θ１までの範囲である場合には表示モードは第１のモードである。一方で、傾斜角度が−θ１から＋θ１までの範囲を外れた場合には表示モードは第２のモードである。
【００６１】
他の実施の形態では、第２の範囲は−θ１から＋θ１までの範囲よりも狭い範囲である。たとえば図９に示されるように、第２の範囲は、−θ２から＋θ２までの範囲である。
【００６２】
視聴者が映像を見ている間には、眼鏡２００の傾斜角度が絶えず変動しうる。第１の範囲と第２の範囲とが一致する場合には、表示モードが第１のモードと第２のモードとの間で頻繁に切替わる可能性がある。第２の範囲が第１の範囲よりも狭くなるように予め設定された場合には、このような問題を回避することができる。
【００６３】
映像表示装置１００は、眼鏡２００の傾斜角度が第１の範囲から外れると直ちに表示モードを第１のモードから第２のモードに切替えてもよい。あるいは、映像表示装置１００は、眼鏡２００の傾斜角度が第１の範囲から外れた時間が所定の時間に到達した場合に、表示モードを第１のモードから第２のモードに切替えてもよい。これにより眼鏡２００の傾斜角度が第１の範囲外であることを映像表示装置１００が確実に検出することができる。一方、眼鏡２００の傾斜角度が第２の範囲に入るとすぐに表示モードを第１のモードから第２のモードに切替えることが好ましい。表示モードをすぐに第２のモードから第１のモードに戻すことができる。ただし、眼鏡２００の傾斜角度が第２の範囲に入ってから、ある特定の時間が経過した後に表示モードが切替わってもよい。傾斜角度が第１の範囲外である時間、および傾斜角度が第２の範囲内である時間は、判定部１１４または表示モード切替処理部１１１によって測定される。
【００６４】
以上のように実施の形態１によれば、映像表示装置１００は、眼鏡２００の傾斜角度が予め定められた範囲を超えた場合に、表示モードを第１のモードから第２のモードへと切替える。第１のモードは、左目映像および右目映像を交互に表示するモードである。第２のモードは左目映像および右目映像を交互に表示させないモードであり、具体的には二次元映像を表示するモードである。第１のモードにおいて、眼鏡２００（光学シャッター調整部２１４）は、左目映像および右目映像に同期して光学シャッター２０１，２０２の各々を開状態と閉状態との間で交互に変化させる。一方、第２のモードにおいて、眼鏡２００（光学シャッター調整部２１４）は、光学シャッター２０１，２０２の各々を開状態に維持する。
【００６５】
実施の形態１によれば、たとえば眼鏡２００の傾斜角度が適切な範囲内にあるときに視聴者が三次元映像を見ることができる。眼鏡２００の傾斜角度がその範囲を超えた場合には、映像表示装置１００に表示される映像が二次元映像になるものの、視聴者は映像を見続けることができる。さらに、視聴者は、三次元映像を見るための適切な姿勢へと自分の姿勢を戻すことにより、視聴者は、三次元映像を再び見ることができる。このように、視聴者が映像を見るときの状態に応じて、映像の表示を制御することができる。
【００６６】
［実施の形態２］
実施の形態１では、三次元映像を視聴する視聴者が一人である場合、すなわち眼鏡２００の個数が１である場合における映像システムの動作を説明した。実施の形態２では、複数の視聴者の各々が眼鏡を用いて三次元映像を見る場合における映像表示装置１００の動作が説明される。
【００６７】
図１０は、実施の形態２に係る映像システムの主要部の構成を説明するためのブロック図である。図２および図１０を参照して、実施の形態２に係る映像表示装置１００Ａは、制御回路１１０に代えて制御回路１１０Ａを備える。制御回路１１０Ａは、表示モード切替処理部１１１に代えて表示モード切替処理部１１１Ａを備える点、および、カウンタ１１５をさらに備える点において制御回路１１０と異なる。映像表示装置１００Ａの他の部分の構成は、実施の形態１に係る映像表示装置１００の対応する部分の構成と同様であるので以後の説明は繰り返さない。実施の形態１と同じく制御回路１１０Ａは、単一または複数の半導体集積回路によって実現可能である。
【００６８】
受信部１１３は、複数の眼鏡２００の各々から角度信号ＳＡを受信する。判定部１１４は、受信部１１３が受信した角度信号ＳＡに基づいて、眼鏡２００の傾斜角度が予め定められた範囲内であるか否かを判定する。判定部１１４は、複数の眼鏡２００の全てについて傾斜角度が予め定められた範囲内であるか否かを判定する。したがって判定部１１４は眼鏡２００の個数と同数の判定結果を生成する。
【００６９】
カウンタ１１５は、判定部１１４によって生成された複数の判定結果を受ける。複数の判定結果に基づいて、カウンタ１１５は、傾斜角度が予め定められた範囲内であるという条件を満たす眼鏡の個数および上記条件を満たさない眼鏡の個数をカウントする。なおカウンタ１１５は、判定部１１４の一部であってもよく、表示モード切替処理部１１１Ａの一部であってもよい。
【００７０】
カウンタ１１５は、第１の値Ｃ１および第２の値Ｃ２を表示モード切替処理部１１１に出力する。第１の値Ｃ１は、傾斜角度が予め定められた範囲内であるという条件を満たす眼鏡の個数である。第２の値Ｃ２は、上記条件を満たさない眼鏡の個数である。
【００７１】
表示モード切替処理部１１１Ａは、第１の値Ｃ１および第２の値Ｃ２に基づいて、表示モードを第１のモードと第２のモードとの間で切替える。送信部１１２は、表示モードに対応する信号（同期信号Ｓ１およびモード信号Ｓ２のいずれか一方）を複数の眼鏡２００に対して共通に送信する。
【００７２】
複数の視聴者がさまざまな姿勢で映像表示装置１００Ａに表示された映像を見ることが考えられる。したがって複数の眼鏡２００の傾斜角度も異なりうる。しかしながら、映像表示装置１００Ａが映像を表示する場合には、映像表示装置１００Ａは、第１のモードおよび第２のモードのいずれか一方を選択しなければならない。以下に、実施の形態２に適用されうる３つの選択パターンを示す。
【００７３】
（第１のパターン）
図１１は、図１０に示した映像表示装置が表示モードを選択するための１つのパターンを説明した図である。図１１を参照して、３つの眼鏡２００のうちの１つの傾斜角度が予め定められた範囲内にある。第１のパターンでは、複数の眼鏡２００のうちの少なくとも１つの傾斜角度が予め定められた範囲内にある場合に、映像表示装置１００Ａは表示モードとして第１のモードを選択する。したがって左目映像１０１Ｌおよび右目映像１０１Ｒが表示パネル１０１に表示される。さらに、同期信号Ｓ１が映像表示装置１００Ａから出力される。
【００７４】
具体的には、映像表示装置１００Ａは、３つの眼鏡２００の各々から送信された角度信号ＳＡを受信する。図１０に示した判定部１１４により、３つの眼鏡２００の各々の傾斜角度が予め定められた範囲内にあるかどうかが判定される。カウンタ１１５は、判定部１１４の判定結果に基づいて、第１の値Ｃ１および第２の値Ｃ２を生成する。表示モード切替処理部１１１Ａは、第１の値Ｃ１が１以上である場合に、第１のモードを選択する。第１のパターンによれば、適切な姿勢を取る視聴者が三次元映像を見ることを可能にする。
【００７５】
（第２のパターン）
図１２は、図１０に示した映像表示装置が表示モードを選択するための別のパターンを説明した図である。図１２を参照して、３つの眼鏡２００のうちの１つの傾斜角度が予め定められた範囲を超えている。第２のパターンでは、複数の眼鏡２００のうちの少なくとも１つの傾斜角度が予め定められた範囲外にある場合に、映像表示装置１００Ａは表示モードとして第２のモードを選択する。したがって二次元映像が表示パネル１０１に表示される。さらにモード信号Ｓ２が映像表示装置１００Ａから出力される。
【００７６】
具体的には、映像表示装置１００Ａは、３つの眼鏡２００の各々から送信された角度信号ＳＡを受信する。第１のパターンの場合の処理と同じ処理によって、第１の値Ｃ１および第２の値Ｃ２が生成される。表示モード切替処理部１１１Ａは、第２の値Ｃ２が１以上である場合に、第２のモードを選択する。
【００７７】
第２のパターンによれば、傾いた姿勢を取る視聴者に三次元映像を見せなくすることができる。これにより、その視聴者が映像を好適に見ることができる。
【００７８】
（第３のパターン）
第３のパターンにおいては、表示モード切替処理部１１１Ａは、第１の値Ｃ１と第２の値Ｃ２とを比較する。表示モード切替処理部１１１Ａは、第１の値Ｃ１が第２の値Ｃ２よりも大きい場合には第１のモードを選択し、逆の場合には第２のモードを選択する。
【００７９】
第１の値Ｃ１が第２の値Ｃ２と同じ場合には、表示モード切替処理部１１１Ａは予め定められたモードを選択する。このモードは第１のモードおよび第２のモードのいずれでも
よい。第１のモードおよび第２のモードのいずれが選択されるかは、予め設定されてもよい。あるいは、視聴者が映像表示装置１００Ａを操作することによって、第１のモードおよび第２のモードのいずれが選択されるかが決定されてもよい。
【００８０】
なお、眼鏡２００の個数が１である場合には、上記の第１〜第３のパターンの各々に従う動作は、実施の形態１に係る映像表示装置１００の動作と同じである。
【００８１】
さらに第１から第３のパターンのいずれか１つのみが映像表示装置１００Ａに適用されてもよい。あるいは、第１から第２のパターンまたは第１から第３のパターンが映像表示装置１００Ａに適用されてもよい。この場合、視聴者が映像表示装置１００Ａを操作することにより、視聴者は複数のパターンの中から所望のパターンを選択できる。具体的にはたとえば表示モード切替処理部１１１Ａが、第１および第２のパターンあるいは第１から第３のパターンを予め記憶する。視聴者が映像表示装置１００Ａを操作した場合に、表示モード切替処理部１１１Ａは、複数のパターンの中から視聴者の操作に対応したパターンを選択する。
【００８２】
なお、映像表示装置１００Ａは、角度信号ＳＡを送信した眼鏡２００を特定するように構成されてもよい。これにより、複数の眼鏡２００の全てから映像表示装置１００Ａに角度信号ＳＡが送信されたかどうかを、映像表示装置１００Ａが確認できる。たとえば、映像表示装置１００Ａが複数の眼鏡２００の各々と通信することにより、映像表示装置１００Ａは複数の眼鏡２００の各々を識別するためのコードを設定し、複数の眼鏡２００の各々に、当該コードを送信する。複数の眼鏡２００の各々が角度信号を送信する場合には、当該眼鏡２００は、自身に割り当てられたコードを角度信号に含める。これにより映像表示装置１００Ａが角度信号を受信したときに、映像表示装置１００Ａは、当該角度信号を送信した眼鏡２００を特定できる。ただし映像表示装置１００Ａが複数の眼鏡２００の各々を識別するための方法は上記の方法に限定されるものではない。
【００８３】
以上のように実施の形態２によれば、映像表示装置は、複数の眼鏡がそれぞれ送信した複数の角度信号を受信する。映像表示装置は、それら複数の角度信号に基づいて表示モードを第１のモードあるいは第２のモードに設定する。実施の形態２によれば、複数の視聴者が１つの映像表示装置に表示された映像を見る場合において、三次元映像を見たいという視聴者の意図をできるだけ反映させることができる（第１のモードが選択される場合）。あるいは、たとえば自分の好きな姿勢で映像を見続けたいという視聴者の意図をできるだけ反映させることができる（第２のモードが選択される場合）。
【００８４】
［実施の形態３］
実施の形態３では、表示モードが変更されたことが視聴者に通知される。図１３は、実施の形態３に係る映像システムの主要部の構成を説明するためのブロック図である。
【００８５】
図２および図１３を参照して、実施の形態３に係る映像表示装置１００Ｂは、制御回路１１０に代えて制御回路１１０Ｂを備える。制御回路１１０Ｂは、表示モード切替処理部１１１に代えて表示モード切替処理部１１１Ｂを備える点、および、通知部１１６をさらに備える点において制御回路１１０と異なる。映像表示装置１００Ｂの他の部分の構成は、実施の形態１に係る映像表示装置１００の対応する部分の構成と同様であるので以後の説明は繰り返さない。実施の形態１と同じく制御回路１１０Ｂは、単一または複数の半導体集積回路によって実現可能である。
【００８６】
表示モード切替処理部１１１Ｂは、判定部１１４の判定結果に基づいて、第１のモードおよび第２のモードのいずれか一方を表示モードとして選択する。表示モード切替処理部１１１Ｂが第２のモードを選択した場合には、表示モード切替処理部１１１Ｂは第２のモ
ードを示す信号を通知部１１６に送信する。通知部１１６は、表示モード切替処理部１１１Ｂからの信号により、第２のモードを視聴者に通知するための処理を実行する。
【００８７】
なお、映像表示装置１００Ｂの他の部分の構成は、実施の形態１に係る映像表示装置１００の対応する部分の構成と同様であるので以後の説明は繰返さない。
【００８８】
図１４は、第２のモードの通知の一例を示した図である。図１４を参照して、通知部１１６は、発光素子１１６Ａ（たとえば発光ダイオード）を含む。第２のモードにおいて、通知部１１６は、発光素子を点灯させる。
【００８９】
図１５は、第２のモードの通知の他の例を示した図である。図１５を参照して、表示パネル１０１の所定の位置に、第２のモードを示す画像１２０が表示される。画像１２０は、文字、記号、図形およびそれらの任意の組み合わせを含みうる。この例では、通知部１１６は、映像信号処理回路１０２に対して、画像１２０を表示パネル１０１に表示させるための信号を出力する。映像信号処理回路１０２は、通知部１１６からの信号により、画像１２０を表示パネル１０１に表示させるための処理を実行する。
【００９０】
図１６は、第２のモードの通知のさらに他の例を示した図である。図１６を参照して、通知部１１６は、通知音を発生させる。通知音を発生させるタイミングおよび回数、通知音の長さ、通知音の発生の周期といった条件は、特に限定されるものではない。
【００９１】
図１７は、実施の形態３に係る映像システムの変形例を示した図である。図２および図１７を参照して、眼鏡２００Ａは、制御回路２１０に代えて制御回路２１０Ａを備える点において眼鏡２００と異なる。制御回路２１０Ａは、通知部２１５をさらに備える点において制御回路２１０と異なる。眼鏡２００Ａの他の部分の構成は眼鏡２００の対応する部分の構成と同様であるので以後の説明は繰返さない。実施の形態１と同じく制御回路２１０Ａは、単一または複数の半導体集積回路によって実現可能である。
【００９２】
この変形例では、眼鏡２００Ａが視聴者に第２のモードを通知する。具体的には、通知部２１５は、受信部２１３を介して、映像表示装置１００から同期信号Ｓ１およびモード信号Ｓ２を受ける。通知部２１５がモード信号Ｓ２を受信した場合には、通知部２１５は視聴者に第２のモードを通知する。たとえば、通知部２１５は音を発生させる。
【００９３】
上記の実施の形態では、表示モードが第２のモードであることが視聴者に通知される。しかしながら表示モードが第１のモードであることが視聴者に通知されてもよい。
【００９４】
さらに、実施の形態２に係る映像表示装置１００Ａに上記の通知部１１６を適用してもよい。あるいは、実施の形態２に係る眼鏡２００を、実施の形態３に係る眼鏡２００Ａに置き換えることもできる。
【００９５】
さらに、通知部は、映像表示装置および眼鏡のいずれか一方に含まれるものと限定されない。映像表示装置および眼鏡の両方が通知部を備えていてもよい。この場合には、たとえば映像表示装置側の通知部は光を発し、眼鏡側の通知部は音を発生させてもよい。
【００９６】
以上のように、実施の形態３によれば、実施の形態１による効果を得ることができる。さらに実施の形態３によれば、映像表示装置によって選択された表示モードを視聴者に把握させることができる。
【００９７】
［実施の形態４］
上記の各実施の形態では、表示モードが第２のモードである場合に、映像表示装置は二次元映像を表示する。実施の形態４は、第２のモードにおける映像の表示処理の点において実施の形態１〜３と相違する。したがって実施の形態１〜３のいずれかの映像表示装置の構成を実施の形態４に係る映像表示装置の構成に適用できる。同じく、実施の形態１〜３のいずれかの眼鏡の構成を実施の形態４に係る映像表示装置の構成に適用できる。以下では、図１および図２に示された構成を参照しながら実施の形態４に係る映像の表示の処理を説明する。
【００９８】
図１８は、実施の形態４に係る映像の表示の処理の一例を示した図である。図１８を参照して、眼鏡２００の傾斜角度が予め定められた範囲を超えた場合に、映像表示装置１００は、映像の表示を停止する。この場合、表示パネル１０１には、たとえば背景色（たとえば青色）が表示される。
【００９９】
他の例では、眼鏡２００の傾斜角度が予め定められた範囲を超えた場合に、映像表示装置１００は、映像の切替えを一時的に停止する。この場合には、左目映像１０１Ｌおよび右目映像１０１Ｒのいずれか一方あるいは両方が表示されたままとなる。
【０１００】
図１を参照して、たとえば映像表示装置１００は、ケーブル３０２を介してディスク再生装置３００に制御信号を送信する。ディスク再生装置３００は、この制御信号により、映像の再生を停止する、あるいは映像の切替えを一時的に停止する。
【０１０１】
眼鏡２００が、傾斜した状態から水平の状態に戻った場合には、表示モードが第１のモードとなる。この場合には、実施の形態１〜３と同様に、映像表示装置１００は、左目映像１０１Ｌと右目映像１０１Ｒとを交互に表示する。具体的には、映像表示装置１００は、ケーブル３０２を介してディスク再生装置３００に制御信号を送信する。この制御信号は、映像の再生を指示するための信号である。ディスク再生装置３００は、この制御信号により、処理を再開する。
【０１０２】
以上のように、実施の形態４によれば、眼鏡が傾いた（視聴者の姿勢が傾いた）場合に三次元映像を見ることができない。これにより、三次元映像を見るための適切な姿勢をとるように視聴者に気付かせることができる。あるいは、たとえば視聴者が三次元映像を見ることを止めることもできる。
【０１０３】
なお、上記の実施の形態では、眼鏡２００の傾斜角度が予め定められた範囲内か否かを判定する判定部は映像表示装置に含まれる。しかし、本発明は、眼鏡の傾斜角度が予め定められた範囲内か否かを映像表示装置が判定するように限定するものではない。
【０１０４】
図１９は、本発明の実施の形態の変形例を示した図である。図１および図１９を参照して、映像表示装置１００Ｃは判定部１１４を有さない点において映像表示装置１００と異なる。さらに、眼鏡２００Ｂは、判定部２１６をさらに備える点において眼鏡２００と異なる。判定部２１６の機能は判定部１１４の機能と同様である。この場合、眼鏡２００Ｂの送信部２１２は、判定部２１６の判定結果を示す信号Ｓ３を送信する。表示モード切替処理部１１１は受信部１１３を介して信号Ｓ３を受信する。表示モード切替処理部１１１の処理については以後の説明を繰り返さない。
【０１０５】
なお、実施の形態２に係る映像表示装置１００Ａ、あるいは実施の形態３に係る映像表示装置１００Ｂから判定部１１４を省略してもよい。この場合、眼鏡２００に代えて眼鏡２００Ｂを用いればよい。なお、眼鏡２００Ａに判定部２１６が追加されてよい。あるいは眼鏡２００Ｂに通知部２１５が追加されてもよい。
【０１０６】
さらに、上記の実施の形態では、三次元映像の表示方式は左目映像と右目映像とを交互
に表示する方式である。ただし、三次元映像の表示方式は他の方式でもよい。この場合にも、第２のモードが二次元映像を表示可能なモードであればよい。あるいは実施の形態４に示されるように、第２のモードが、映像の再生を停止するモードであってもよい。
【０１０７】
たとえば本発明は、互いに偏光方向が異なる２つの偏光レンズが左目部分および右目部分にそれぞれ用いられた眼鏡により三次元映像を見る方式にも適用可能である。この場合、第１のモードでは、映像表示装置は、偏光方向が互いに異なる２つの映像を表示パネルに表示させる。第２のモードでは、たとえば映像表示装置は、眼鏡の左目側の偏光レンズの偏光方向と、眼鏡の右目側の偏光レンズの偏光方向との中間の方向に偏光した二次元映像を表示パネルに表示させる。このように、本発明は三次元映像の特定の表示方式に限定されるものではない。
【０１０８】
さらに、眼鏡の様々な傾斜角度（たとえば右４５°、右９０°、左４５°、左９０°など）に対応した三次元映像、すなわち、様々な視点に対応した複数の三次元映像がメディアに記録されている場合には、映像表示装置は以下の映像処理を実行してもよい。すなわち、映像表示装置は、眼鏡の傾斜角度に応じて、複数の三次元映像の中から最適な映像を選択して、その映像に対応した映像を表示する。たとえば、眼鏡が右９０°（左９０°でもよい）方向に回転した場合、映像表示装置は、上方に位置する目に対応した映像と下方に位置する目に対応した映像とを表示する。眼鏡が右４５°方向に回転した場合、映像表示装置は、上方に位置する左目に対応した映像と下方に位置する右目に対応した映像とを表示する。眼鏡が左４５°方向に回転した場合には、上記の場合とは逆に、映像表示装置は、上方に位置する右目に対応した映像と下方に位置する左目に対応した映像とを表示する。すなわち、映像表示装置は、眼鏡を装着した視聴者の左目および右目の位置に応じて、その左目および右目にどのような映像を見せるかを決定する。これにより、いわゆる３Ｄ回転、すなわち三次元映像の回転を実現することができる。なお、上記の傾斜角度は一例であって、たとえば傾斜角度が３０°変化するごとに映像表示装置は視聴者に見せる三次元映像を変化させてもよい。さらに、映像表示装置は、左右方向の傾斜角度だけでなく、上下方向の傾斜角度に応じて三次元映像を変化させてもよい。
【０１０９】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１  基板、２  ケース、３  カバー、４Ａ，４Ｂ  受光素子、５，１１６Ａ  発光素子、６  転動体、７  配線パターン、７ａ，７ｂ，７ｃ  端子、２０  空隙部、２０ａ  転動体収容部、２０ｂ  窓、２０ｃ  素子収容部、３０  反射膜、１００，１００Ａ，１００Ｂ，１００Ｃ  映像表示装置、１０１  表示パネル、１０１Ｌ  左目映像、１０１Ｒ  右目映像、１０２  映像信号処理回路、１１０，１１０Ａ，１１０Ｂ，２１０，２１０Ａ  制御回路、１１１，１１１Ａ，１１１Ｂ  表示モード切替処理部、１１２，２１２  送信部、１１３，２１３  受信部、１１４，２１６  判定部、１１５  カウンタ、１１６，２１５  通知部、１２０  画像、２００，２００Ａ，２００Ｂ  眼鏡、２０１，２０２  光学シャッター、２１１  傾斜センサ、２１４  光学シャッター調整部、３００  ディスク再生装置、３０１  ディスク、３０２  ケーブル。
【図１】
0005889536.tif 000002
【図２】
0005889536.tif 000003
【図３】
0005889536.tif 000004
【図４】
0005889536.tif 000005
【図５】
0005889536.tif 000006
【図６】
0005889536.tif 000007
【図７】
0005889536.tif 000008
【図８】
0005889536.tif 000009
【図９】
0005889536.tif 000010
【図１０】
0005889536.tif 000011
【図１１】
0005889536.tif 000012
【図１２】
0005889536.tif 000013
【図１３】
0005889536.tif 000014
【図１４】
0005889536.tif 000015
【図１５】
0005889536.tif 000016
【図１６】
0005889536.tif 000017
【図１７】
0005889536.tif 000018
【図１８】
0005889536.tif 000019
【図１９】
0005889536.tif 000020